(57)【要約】【課題】  ページを素早く開くための機能を備え、めくるたびに自動的に次のページに移動するしおりと、筆記具の太さによって直径のサイズを変更できるようにしたペンホルダー、及びそれらの機能を併せ持つしおりを設けたペンホルダーを提供する。【解決手段】  剥離可能な２層のシート（１１）の片方の先端部分にそり返し部分（８）を設け、もう片方のシートにしなる性質の材質を使用するか形状を施したことを特徴とするしおり。  ツメの刺し込み口のあるシートの延長部分（１７）の外側縁にツメのあるシート（２２）を設け、使用する筆記具の太さに合わせてツメ（２１）をツメの刺し込み口（１２）に刺し込み形成することを特徴とするペンホルダー。  及びそれらの構成を併せ持つことを特徴とするしおりを設けたペンホルダー。【選択図】  図１
2010042626.tif 000002
【特許請求の範囲】
【請求項１】
剥離可能な２層のシート（１１）の、片方のシートの先端部分にそり返し部分（８）を設けるか、先端部分をページの外側に出したことを特徴とするしおり。
【請求項２】
剥離可能な２層のシート（１１）の、片方のシート全体か一部に、しなる性質の材質を使用するか、曲がるように形状を施したことを特徴とするしおり。
【請求項３】
ツメの刺し込み口のあるシートの延長部分（１７）の外側縁にツメのあるシート（２２）を設け、使用する筆記具の太さに合わせて、円弧状に曲げ、ツメ（２１）をツメの刺し込み口（１２）に刺し込み形成することを特徴とするペンホルダー。
【請求項４】
請求項１、請求項２、及び請求項３の構成を併せ持つことを特徴とするしおりを設けたペンホルダー。
【発明の詳細な説明】
【技術分野】
【０００１】
本発明は、ページを素早く開く機能を備え、ページをめくるたびに自動的に移動するしおりと、直径のサイズを変更できるようにしたペンホルダー、及びそれらの機能を併せ持つしおりを設けたペンホルダーに関するものである。
【背景技術】
【０００２】
従来、手帳又は書籍等の最後に開いていたページを再び開く場合は、ページを閉じる前にあらかじめ付いているヒモ等のしおりをはさみ込んでいた。その上で、開く際はそのヒモの先を引っ張り、ページを浮かせてめくっていた。ページを閉じる時にヒモが背表紙側に回っていることもあった。
【０００３】
紙等の独立したしおりの場合はページを開いた時に落ちたり文字を隠すこともあった。
【０００４】
手帳や書籍等にあらかじめ付いているヒモ等のしおり、及び紙等のしおりはページをめくっても自動的に次のページに移動することはなかった。
【０００５】
ペンホルダーに関しては、それが付いていない手帳等に書き込みをする場合、他の場所から筆記具を持ってきて書き込みをしていた。
【０００６】
ペンホルダーが付いている手帳等の場合は、ホルダーの直径は一定で、使用する筆記具の太さに合わせて調整することはできなかった。
【０００７】
また、手帳等に取り付けることができるステンレス製等のクリップ型ペンホルダーもあるが、取り付ける位置が表紙の表部分となるため、出っ張った形となっていた。
【０００８】
なお、ノートブック又は書籍を被覆するブックカバー等の表紙体の適当な箇所に取り付けられるが、直径を調整することができないペンホルダー、及びペンホルダーに接着させる形で取り付けることができる一層のシートからなるしおりの技術（特許文献１）と、書き込みを必要としない書籍のみに限って、ページの上部に位置するように固定させ、ガイド片等でしおりが外側に払いのけられないようにした技術（特許文献２）が知られている。
【０００９】
【特許文献１】特開２００２−３７０４９０号公報
【特許文献２】特許第３１２３９８５号公報
【発明の開示】
【発明が解決しようとする課題】
【００１０】
そのために、次のような問題点があった。
しおりは本来、次にページを開くときの“目印”となるものであり、しおりそのものにページを開くための機能がそなわっているわけではない。そのため、しおりをはさんでいるページを確認できても、ページを開くためには、必然的に一連の動作が必要となる。
【００１１】
例えばあらかじめついているヒモのしおりの場合、手帳等のページの綴じ込み部分（内側）近くの下方からはみ出しているヒモの先をつまみ、綴じ込み部分と反対側（外側）にそのままずらし、ヒモを引っ張る形でページを浮かせたままめくる動作が必要とされた。急いで内容を確認したい時には面倒で時間もかかっていた。又、片手で開くのは困難であった。
【００１２】
また、最後に開いていたページを再び開く場合は、ページを閉じる前に、あらかじめ付いているヒモ等のしおりをはさみ込む必要があるが、開いた手帳等の背表紙側に回っていて視界にはいらず、はさみ忘れたままページを閉じることもあった。とくに急いでページを閉じた場合にその傾向が著しく、次に開く時にしおりの役割を果たしていないこともあった。
【００１３】
紙等の独立したしおりの場合は、ページを開いた時に落ちたり、文字を隠したりする場合があり、書き込みをする時などは邪魔になり手に持つ等のわずらわしさがあった。
【００１４】
手帳や書籍等にあらかじめ付いているヒモ等のしおり、及び紙等のしおりはページをめくっても自動的に次のページに移動することは無く、ページが進むその度に、手動でしおりを移動するしかなく手間がかかった。
【００１５】
ペンホルダーに関しては、それが付いていない手帳等に書き込みをする場合、他の場所から、筆記具を持ってきて書き込みしていたが、筆記具を探しているうちに書き込む内容があいまいとなり、正確な記述が出来なくなる場合があった。
【００１６】
ペンホルダーが付いている手帳等の場合は、ホルダーの直径は一定で、使用する筆記具の太さに合わせて調整することができなかった。そのため、その直径より太い筆記具の場合は刺しこめず、逆に細い筆記具の場合は、ホルダー内壁と筆記具の間に隙間ができ、不安定なまま収納していた。
【００１７】
手帳等に取り付けることができるステンレス製等のクリップ型ペンホルダーもあるが、取り付ける位置が表紙の表部分となるため、出っ張った形となり、カバンやポケット等に収納する場合に邪魔になった。また材質の硬さから筆記具を傷つける事もあった。
【００１８】
本発明は以上で述べた従来のしおりの問題点と、ペンホルダーの問題点を解決するためになされたものである。
【課題を解決するための手段】
【００１９】
請求項１に係わるしおりは、剥離可能な２層のシート（１１）の、片方のシートの先端部分にそり返し部分（８）を設けるか、先端部分をページの外側に出したものである。
【００２０】
請求項２に係わるしおりは、剥離可能な２層のシート（１１）の、片方のシート全体か一部に、しなる性質の材質を使用するか、曲がるように形状を施したものである。
【００２１】
請求項３に係わるペンホルダーは、  ツメの刺し込み口のあるシートの延長部分（１７）の外側縁にツメのあるシート（２２）を設け、使用する筆記具の太さに合わせて、円弧状に曲げ、ツメ（２１）をツメの刺し込み口（１２）に刺し込み形成したものである。
【００２２】
請求項４に係わるしおりを設けたペンホルダーは、請求項１、請求項２、及び請求項３の構成を併せ持つものである。
【発明の効果】
【００２３】
請求項１、請求項２に係わるしおりは、ヒモ等のしおりや、紙等の１層からなるしおりと違い、剥離可能な２層のシートという構成を持つものである。片方のシートの先端部分には、そり返し部分を設けるか、先端部分をページの外側に出すことを特徴としたものである。また、もう片方のシートでは、全体か一部にしなる性質の素材を使用するか、曲がるように形状を施していることを特徴としたものである。
【００２４】
手帳等の裏表紙内側の外側端近くに固定させてから、ページ開き自動しおり本体がページの外側端に位置するようにすることで、そり返し部分から挿入した指を使って、手帳を持つと同時に傾けるだけでページを開くことができる。単純な動作で、急いで内容を確認したい時に素早く開くことができる。片手でも簡単に開ける。
【００２５】
また、ヒモのしおりのように意識してはさみ込まなくても、剥離可能な２層のシートのもう片方のシートの全体か、その一部であるページからはみ出すしなり部分（湾曲したところ）に、しなる性質の材質や曲がる形状（筋状の構造）を施し、２層シートというシートの重みによって、ページをめくるたびに自動的に次のページに移動するため、はさみ忘れることがない。急いでページを閉じた場合でもはさみこまれるため、次に開く時にしおりの役割を果たすことができる。
【００２６】
手帳等の裏表紙内側の外側端近くに固定させる事によって、紙等の独立したしおりのように落ちることがない。透明の材質を使った場合は文字を隠すこともない。また、書き込みの際は外側に払いのけられ、手に持つ等のわずらわしさもない。その場合でも視界に入りはさみ忘れることもない。
【００２７】
請求項３、係わるペンホルダーの場合、ペンホルダーがついていない手帳等と違って、筆記具をすぐに手にして記入する事ができるため、正確な記述ができる。また筆記具の太さによってペンホルダーの直径を調整できるため、筆記具を安定して収納する事ができる。
【００２８】
ペンホルダー本体を設ける位置をページの外側端にすることで、出っ張った形とならなずカバンやポケット等に収納する場合でも邪魔にならない。材質の柔軟性から筆記具に傷をつけることもない。
【発明を実施するための最良の形態】
【００２９】
本発明を実施するために最良の形態について説明する。しおりを設けたペンホルダーに関してのものである。
【００３０】
図１は、しおりを設けたペンホルダーを立体形成した時の斜視図である。
図２は、図１の展開図である。
図２の展開図に至るために、最初に図３の各部品の正面図（ａ）に基づいて部品を合せ１つの形態にする工程を説明する。
（イ）短冊状をした固定部分（１）の一端から延長した部分であるホール（６）を有する細長いホールのあるシート（７）と、それとほぼ同じくらいの大きさのそり返し部分のあるシート（９）を重ね合わせその先端部分を接着等で接合し、剥離可能な２層のシート（１１）を形成する。そり返し部分のあるシート（９）の反対の先端部分には、指を挿入しやすいようにそり返し部分（８）を設けてある。
（ロ）この時、固定部分（１）の側端から延長した部分で、ホールのあるシート（７）を作成することも可能である。
（ハ）ホール（６）は、挿入した指が手帳の紙面に滑り止めとなる位の大きさのもので、直径１ｃｍ前後が適している。
（ニ）ホールのあるシート（７）は、柔軟性や耐久性などから軟質樹脂（塩化ビニル等）が最適であるが、紙・皮・布等でしなる性質のある材質のものでも良い。又、硬質の素材でも曲がるように形状（筋状の構造）を施すことにより同じ効果を持たせることができる。
（ホ）文字を隠さない理由から透明なものが適しているが、不透明なものでも可能である。
（ヘ）そり返し部分のあるシート（９）は、そり返し部分（８）を熱等を加えて加工するか、形成できる合成樹脂が最適であるが、紙・皮・布等で作成することもできる。
（ト）そり返し部分（８）は指がスムーズに挿入される程度の角度をつけたものである。
（チ）また、剥離可能な２層のシート（１１）とは、ページの間に指を挿入するための目的にかなう形状を意味するものである。
【００３１】
次に図３の各部品の正面図（ｂ）と（ｃ）に基づいて２つの部品を合せ１つの形態にする工程を説明する。
（イ）３段・３列のツメの刺し込み口（１２）を設けた短冊状のツメの刺し込み口のあるシート（１３）からツメの刺し込み口のあるシートの延長部分（１７）を設ける。
（ロ）その一部である延長部分の外側縁（２０）と、短冊状の３段からなる円弧状のツメ（２１）を有したツメのあるシート（２２）の一部であるツメのあるシートの外側縁（２５）を接着剤等で接合する。
（ハ）この時、ツメの刺し込み口（１２）は１段もしくは複数段、１列もしくは複数列でも良いが、ペンホルダーの長さから安定して固定できる数として３段が最適であり、筆記具の規格サイズに対応する数として３列が最良である。
（ニ）ツメ（２１）は、円弧状が刺し込みやすく抜けにくいことから最適であるが、矩形（コの字型）や三角形（＞の型）状でも良く、一段もしくは、複数段でも良い。ツメ（２１）の個数は、ツメの刺し込み口（１２）の段数に対応する。
（ホ）ツメの刺し込み口のあるシート（１３）の材質は、曲げることができ、ツメ（２１）が立ち上がるくらいの硬さがある薄い合成樹脂が望ましい。紙・皮・布等等でも良い。
（ヘ）ツメの刺し込み口のあるシートの延長部分（１７）は後にペンホルダー本体を形成する部分であるため、軟質樹脂（塩化ビニル等）を使用している。紙・皮・布等でも良いが、強度を考慮し０．１ｍｍ前後の厚みがあるものが適している。
【００３２】
以上までの部品を、さらに１つに合成する工程を説明する。
（イ）短冊状をした固定部分裏面（３）の接着枠である固定部分の接着部分（４）とツメの刺し込み口のあるシート表面（１４）側の、ツメの刺し込み口のあるシートの接着部分（１６）を合わせ接着する。ツメの刺し込みに邪魔にならないように接着するためにつめの刺し込み口（１２）の周りに接着しない領域を設けている。
（ロ）手帳等の裏表紙が２層である場合は、ツメの刺し込み口（１２）は裏表紙に直接設けることができ、固定部分（１）とツメの刺し込み口のあるシート（１３）を省くことができる。
【００３３】
以上までが各部品を合せ１つにする工程であり、図２はその（合成図）展開図である。
【００３４】
次は、ツメの刺し込み口のあるシートの延長部分（１７）を、ペンホルダーとして立体的形成しておく必要があるので、その工程を図４の（ａ）〜（ｅ）に基づいて説明する。
（イ）まず、ツメの刺し込み口のあるシート延長部分（１７）をツメの刺し込み口のあるシート裏面（１５）側に向けて曲げる。
（ロ）そのまま、ツメの刺し込み口のあるシート延長部分（１７）を、使用する筆記具の太さに合わせて円弧状に曲げる。
（ハ）３段・３列のツメの刺し込み口（１２）の最適な列に、３段の円弧状のツメ（２１）を刺し込み固定する。ペンホルダーとして筒状になったツメの刺し込み口のあるシート延長部分（１７）が平面に戻ろうとする力で、ツメがしっかり固定される。それと同時にペンの刺し込み口は、ほぼ正円となり筆記具を刺し込むのに最適な形となる。
【００３５】
以上までが、ペンホルダーを形成する工程である。後に、固定部分（１）を手帳等の裏表紙に固定するために、ホールのあるシート（７）とそり返し部分のあるシート（９）（＝剥離可能な２層のシート（１１））は、ツメの刺し込み口のあるシート裏面（１５）側に曲げておき、そのまま１８０度回転させ、固定部分（１）を上にしておく。
【００３６】
しおりを設けたペンホルダーは以上の構成からなるので、実際に使用する方法を図５、図６及び図７に基づいて説明する。
（イ）固定部分（１）を手帳の裏表紙（２７）の内側・外側端近くに接着等で固定させる。その時、手帳を閉じた場合にペンホルダー本体がページの外側端に沿う位置になるようにする。同時に剥離可能な２層のシート（１１）を開きたいページにはさんでおく。
（ロ）手帳を閉じた状態から、ページを開くときはそり返し部分（８）から、指先（３０）を挿入し、指の滑り止めとなるホール（６）に指を置き、そのまま手帳を傾けることによってそのページを開くことができる。その時、ホール（６）に置いた指は、ページ紙面にぴったり密着している状態で、滑ったり、ずれたりする事がないため、安定してページを開くことができる。
（ハ）また、ページをめくった場合、ホールのあるシート（６）のしなり部分（５）の柔軟な性質と剥離可能な２層のシートの重さによって、自動的にめくったページに落ちるように移動するので、ページを閉じた後でも、再度そのページを素早く開くことができる。
（ニ）なお、剥離可能な２層のシート（１１）は、手帳の外側に払い除くことができ、書き込みも自由にできる。
（ホ）ペンホルダーにおいては、使用する筆記具を刺し込んでおき、記入する時に取り出して使用する。
【実施例１】
【００３７】
実施例１を図８に基づいて説明する。しおり単独の形態である。
剥離可能な２層のシート（１１）を、ホールのあるシート（７）を折り返す形で形成したものである。使用方法は、初めに剥離可能な２層のシート（１１）を開きたいページにはさんでおく。ページを開く時は、そり返し部分（８）から指先を挿入し、指の滑り止めとなるホール（６）に指を置き、そのまま手帳を傾けることによってそのページを開くことができる。その時、ホール（６）に置いた指は、ページ紙面にぴったり密着している状態で、滑ったり、ずれたりする事がないため、手帳をしっかりつかむことができ安定してページを開くことができる。また、しなり部分（５）の柔軟な性質と剥離可能な２層のシート（１１）の重みで自動的にめくったページに落ちるように移動するので、ページを閉じた後でも、再度そのページを素早く開くことができる。なお、剥離可能な２層のシート（１１）は、書き込み等をする場合、手帳の外側に払い除くことができる。
【実施例２】
【００３８】
実施例２を図９に基づいて説明する。しおり単独の形態である。
剥離可能な２層のシート（１１）を、２つのシートを接着させて形成するのではなく、一体型で形成し、指を挿入する部分だけを接着しないように形成したものである。使用方法は実施例１と同様である。
【実施例３】
【００３９】
実施例３を図１０に基づいて説明する。しおり単独の形態である。剥離可能な２層のシート（１１）のシートの片方の先端部分を閉じたページの外側にだしたものである。外側に出したその部分の下方から指先（３０）をすべり込ませページを開くことができる。そり返し部分（８）は設けていないが下から指を挿入した後の使用方法は実施例１と同様である。
【実施例４】
【００４０】
実施例４を図１１に基づいて説明する。しおり単独の形態である。剥離可能な２層のシート（１１）のそり返し部分（８）を別な部品として形成しシートの先に取り付けたものである。この時の部品の材質は硬質な合成樹脂や金属・木等、硬質なものが望ましい。使用方法は実施例１と同様である。
【実施例５】
【００４１】
実施例５を図１２（ａ）・（ｂ）に基づいて説明する。しおり単独の形態である。ページをめくった時に自動的に次のページにしおりを移動させるために、軟性樹脂を使うのではなく、硬質な材質を使って形成した場合でもページからはみ出すしなり部分（５）に“筋状の構造”をもたせることによってそれを可能にしたものである。使用方法は実施例１と同様である。
【実施例６】
【００４２】
実施例６を図１３（ａ）・（ｂ）に基づいて説明する。しおり単独の形態である。固定部分（１）を取り付けることなく、手帳又は書籍等、もしくはブックカバー等に直接設けるか、その一部の材質を使って設けたものである。剥離可能な２層のシート（１１）は図に示すような細長い長方形の形でなくても、ブックカバーの側端の幅、もしくは側端に近い幅で形成することもできる。使用方法は実施例１と同様である。
【実施例７】
【００４３】
実施例７を図１４（ａ）・（ｂ）に基づいて説明する。ペンホルダー単独の形態である。ペンホルダーを形成する部分に軟質樹脂等を使わずに、“筋状の構造”を施す事で曲げることができるようにしたものである。使用方法は、使用する筆記具を刺し込んでおき、記入する時に取り出し使用する。
【実施例８】
【００４４】
実施例８を図１５（ａ）・（ｂ）に基づいて説明する。ペンホルダー単独の形態である。固定部分（１）とツメの刺し込み口のあるシート（１３）を取り付けることなく、手帳又は書籍等、もしくはブックカバー等から直接設けるか、その材質の一部を使って設けたものである。裏表紙そのものが２層である場合、ツメの刺し込み口（１２）を直接２層の表面の方のシートに作る事ができる。使用方法は実施例７と同様である。
【実施例９】
【００４５】
実施例９を図１６に基づいて説明する。しおりを設けたペンホルダーを、手帳又は書籍等、もしくはブックカバー等から直接設ける形で形成したものである。裏表紙そのものが２層である場合、ペンホルダーのツメの刺し込み口（１２）を直接２層の表面の方のシートに作る事ができる。使用方法は、実施例１、実施例７と同様である。
【図面の簡単な説明】
【００４６】
【図１】しおりを設けたペンホルダーの斜視図である。
【図２】しおりを設けたペンホルダーの展開図である。
【図３】図２の各部品の正面図である。（ａ）は固定部分とその一端から延びる剥離可能な２層のシートの正面図である。（ｂ）はツメの刺し込み口のあるシートとその延長部分の正面図である。（ｃ）はツメのあるシートの正面図である。
【図４】ペンホルダーのホルダー形成までの工程を説明した平面図である。（ａ）はツメの刺し込み口のあるシートの延長部分を曲げた平面図である。（ｂ）はツメの刺し込み口のあるシートの延長部分を円弧状にした平面図である。（ｃ）はペンホールを形成する直前の平面図である。（ｄ）はツメの刺し込み口にツメを刺し込みホルダーを形成した平面図である。（ｅ）は設置するために（ｄ）を１８０度回転した平面図である。
【図５】手帳の裏表紙に固定した時の斜視図である。
【図６】ページの外側端に設置した状態を表す斜視図である。
【図７】使用時の斜視図である。
【図８】しおりの実施例を示す斜視図である。
【図９】しおりの実施例を示す斜視図である。
【図１０】しおりの実施例を示す斜視図である。
【図１１】しおりの実施例を示す斜視図である。
【図１２】しおりの実施例を示す斜視図である。（ａ）筋状構造のしなり部分の斜視図である。（ｂ）筋状構造のしなり部分の平面図である。
【図１３】しおりの実施例を示す斜視図である。（ａ）裏表紙に直接設けた斜視図である。（ｂ）裏表紙の一部の材質を使って設けた斜視図である。
【図１４】ペンホルダーのホルダーの実施例を示す斜視図である。（ａ）ホルダー部分を筋状の構造で形成した斜視図である。（ｂ）ホルダー部分を筋状の構造で形成した平面図である。
【図１５】ペンホルダーの実施例を示す斜視図である。（ａ）裏表紙に直接設けた斜視図である。（ｂ）裏表紙の一部の材質を使って設けた斜視図である。
【図１６】しおりを設けたペンホルダーの実施例を示す斜視図である。
【符号の説明】
【００４７】
１  固定部分
２  固定部分表面
３  固定部分裏面
４  固定部分の接着部分
５  しなり部分
６  ホール
７  ホールのあるシート
８  そり返し部分
９  そり返し部分のあるシート
１０  ２層のシートの接着面
１１  剥離可能な２層のシート
１２  ツメの刺し込み口
１３  ツメの刺し込み口のあるシート
１４  ツメの刺し込み口のあるシート表面
１５  ツメの刺し込み口のあるシート裏面
１６  ツメの刺し込み口のあるシートの接着部分
１７  ツメの刺し込み口のあるシートの延長部分
１８  ツメの刺し込み口のあるシートの延長部分表面
１９  ツメの刺し込み口のあるシートの延長部分裏面
２０  延長部分の外側縁
２１  ツメ
２２  ツメのあるシート
２３  ツメのあるシート表面
２４  ツメのあるシート裏面
２５  ツメのあるシートの外側縁
２６  延長部分とツメのあるシートの接着縁
２７  手帳の裏表紙
２８  手帳
２９  筆記具
３０  指先
【図１】
2010042626.tif 000003
【図２】
2010042626.tif 000004
【図３】
2010042626.tif 000005
【図４】
2010042626.tif 000006
【図５】
2010042626.tif 000007
【図６】
2010042626.tif 000008
【図７】
2010042626.tif 000009
【図８】
2010042626.tif 000010
【図９】
2010042626.tif 000011
【図１０】
2010042626.tif 000012
【図１１】
2010042626.tif 000013
【図１２】
2010042626.tif 000014
【図１３】
2010042626.tif 000015
【図１４】
2010042626.tif 000016
【図１５】
2010042626.tif 000017
【図１６】
2010042626.tif 000018